(57)【要約】【課題】下枠の凹部と掃出部材との間に生じる隙間に塵埃や箒の穂先が詰まることのない引戸用走行レール装置を提供すること。【解決手段】引戸枠部材２の下枠２ｃと、該下枠２ｃの上面に形成した凹部２ｃ’に配設した走行レール３と、走行レール３及び走行レール３のレール部３ａの両側に形成される溝部Ｕの端部に当接する掃出部材１０とを備え、該掃出部材１０の両側面１５、１５と下枠２ｃの上面に形成した凹部２ｃ’の内側面との当接箇所に充填材Ｃを充填する。【選択図】図１
2008248621.tif 000002
【特許請求の範囲】
【請求項１】
引戸枠部材の下枠と、該下枠の上面に形成した凹部に配設した走行レールと、走行レール及び走行レールのレール部両側に形成される溝部の端部に当接する掃出部材とを備えた引戸用走行レール装置において、掃出部材の両側面と下枠の上面に形成した凹部の内側面との当接箇所に充填材を充填したことを特徴とする引戸用走行レール装置。
【請求項２】
引戸枠部材の下枠と、該下枠の上面に形成した凹部に配設した走行レールと、走行レール及び走行レールのレール部両側に形成される溝部の端部に当接する掃出部材とを備えた引戸用走行レール装置において、下枠の上面に形成した凹部の側面に、掃出部材を挿入嵌合させる切欠部を形成したことを特徴とする引戸用走行レール装置。
【請求項３】
掃出部材を、正面部を走行用レール及び溝部の凹凸形状に沿った高部と底部とを有する形状とし、平面部を正面部の高部と同一高さで連なる掃出面と、該掃出面から正面部の底部へ連なる傾斜面とをもって構成したことを特徴とする請求項１又は２記載の引戸用走行レール装置。
【発明の詳細な説明】
【技術分野】
【０００１】
本発明は、下枠に走行レールと掃出部材を有する引戸用走行レール装置に関し、特に塵埃の掃き出しの際に、掃出部材とレールとの間の隙間に塵埃や箒の穂先が詰まることのない引戸用走行レール装置に関するものである。
【背景技術】
【０００２】
従来、下枠に走行レールを有する引戸用走行レール装置のうち、特に、学校用の間仕切りに使用される引戸用走行レール装置を使用した引戸装置は、図６〜図７に示すように、竪枠２ａ、２ａと、両竪枠２ａ、２ａを繋ぐ上枠２ｂ、下枠２ｃと中桟２ｄとからなる引戸枠部材２と、該引戸枠部材２の下枠２ｃ内に配設した走行レール３上に戸車４ｂによって走行自在に載置した引戸扉４と、中桟２ｄと上枠２ｂとの間に配設される小窓５とから構成されている。
【０００３】
通常、走行レール３は、下枠２ｃの上面に形成した凹部２ｃ’内にスポット溶接等の固定手段によって取り付けられており、その長手寸法は、下枠２ｃの長手寸法とほぼ同一の長さとされている。
そして、下枠２ｃの上面の凹部２ｃ’に走行レール３を取り付けることによって形成される溝部Ｕには塵埃が溜まりやすく、特に学校用間仕切りとして使用される場合には、学校での掃除の方法として箒を用いた掃除が一般的であり、この溝部Ｕに溜まった塵埃を箒で掃き出すことは困難であった。
また、この引戸装置に用いられる竪枠２ａには、曲げ加工によって凹部２ａ’が成型され、引戸扉４の戸先側戸尻側との側面に配設されるパッキン４ａの先端が凹部２ａ’に入り込むことによって、室内外の灯り漏れを防止する構造となっている。
そのため、竪枠２ａと下枠２ｃとの接合部分に間隙Ｓが形成されることとなり、係る間隙Ｓに塵埃が溜まり、不衛生になるという問題があった。
【０００４】
これらの問題に対処するため、凹部２ｃ’と走行レール３によって形成される溝部Ｕに溜まった塵埃を掃き出す掃出部材として、図８に示す掃出部材２０が提案されている（例えば、特許文献１参照）。
【０００５】
この掃出部材２０は、図８に示すように、下枠２ｃの凹部２ｃ’と走行レール３によって形成される溝部Ｕに嵌入され、走行レール３の走行面と同一面となる掃出面２０ａと、一端部に溝部Ｕの表面から走行レール３の走行面と同一高さの掃出面まで連ねるように傾斜面２０ｂを形成したもので、溝部Ｕにはビス等の固定手段で取り付けるようにしている。
【０００６】
しかしながら、この掃出部材２０では、竪枠２ａの凹部２ａ’と下枠２ｃとの接合部分に生じる間隙Ｓに塵埃が溜まったり、レールから掃き出した塵埃が掃出面２０ａを越えて間隙Ｓに溜まるため、間隙Ｓを覆うための蓋部材６が別途必要となり、また、掃出部材２０は、下枠２ｃの凹部２ｃ’と走行レール３によって形成される溝部Ｕに嵌入されるものの、掃出部材２０と走行レール３との側面同士の当接面には若干の隙間Ｓ１が生じ、この隙間Ｓ１は垂直方向に開口する隙間で、塵埃の他、特に箒の穂先が詰まりやすいという問題があった。
【０００７】
このため、図９に示すように、引戸枠部材の下枠２ｃの長手寸法よりも短い走行レール３を配設し、走行レール３と竪枠２ａ間に配設する掃出部材３０が提案されている。
【０００８】
この掃出部材３０は、下枠２ｃの凹部２ｃ’と走行レール３によって形成される溝部Ｕに連なる傾斜面３０ｂと掃出面３０ａとから構成されるもので、溝部Ｕに嵌入する部材がなく、一体形成されているため、走行レール３の側面と当接する箇所がなく隙間にゴミや箒の穂先が詰まることはないものの、下枠２ｃの凹部２ｃ’側面と掃出部材３０の側面とが当接し、係る箇所Ｓ２では上記と同様に若干の隙間が生じることとなり、この隙間に塵埃や箒の穂先が詰まってしまうという問題があった。
また、この場合、走行レール３の凸部の端面３ｃが突出することとなり、学校用の引戸装置として使用するに際して、端面３ｃによって、素足の場合に怪我をするおそれがあるという問題もあった。
【特許文献１】実開昭５２−１５４０３４号公報
【発明の開示】
【発明が解決しようとする課題】
【０００９】
本発明は、上記従来の掃出部材を備えた引戸用走行レール装置の有する問題点に鑑み、下枠の凹部と掃出部材との間に生じる隙間に塵埃や箒の穂先が詰まることのない引戸用走行レール装置を提供することを目的とする。
【課題を解決するための手段】
【００１０】
上記目的を達成するため、本発明の引戸用走行レール装置は、引戸枠部材の下枠と、該下枠の上面に形成した凹部に配設した走行レールと、走行レール及び走行レールのレール部両側に形成される溝部の端部に当接する掃出部材とを備えた引戸用走行レール装置において、掃出部材の両側面と下枠の上面に形成した凹部の内側面との当接箇所に充填材を充填したことを特徴とする。
【００１１】
また、同じ目的を達成するため本第２発明の引戸用走行レール装置は、引戸枠部材の下枠と、該下枠の上面に形成した凹部に配設した走行レールと、走行レール及び走行レールのレール部両側に形成される溝部の端部に当接する掃出部材とを備えた引戸用走行レール装置において、下枠の上面に形成した凹部の側面に、掃出部材を挿入嵌合させる切欠部を形成したことを特徴とする。
【００１２】
これらの場合において、掃出部材を、正面部を走行レール及び溝部の凹凸形状に沿った高部と底部とを有する形状とし、平面部を正面部の高部と同一高さで連なる掃出面と、該掃出面から正面部の底部へ連なる傾斜面とをもって構成することができる。
【発明の効果】
【００１３】
本第１発明の引戸用走行レール装置によれば、掃出部材の両側面と下枠の上面に形成した凹部の内側面との当接箇所に充填材を充填するようにしたから、掃出部材の両側面と下枠に形成した凹部の内側面との間に生じる隙間を完全に塞ぐことができ、係る隙間に塵埃や箒の穂先が詰まることのない引戸用走行レール装置を提供することができる。
【００１４】
また、本第２発明の引戸用走行レール装置によれば、下枠に形成した凹部の側面に、掃出部材を挿入嵌合させる切欠部を形成するようにしたから、下枠の上面に形成した凹部の側面と掃出部材の傾斜面との間に生じる隙間は垂直方向に開口する隙間ではなく水平方向に開口する隙間となり、箒の穂先が係る隙間に詰まることのない引戸用走行レール装置を提供することができる。
【００１５】
この場合、掃出部材を、正面部を走行レール及び溝部の凹凸形状に沿った高部と底部とを有する形状とし、平面部を正面部の高部と同一高さで連なる掃出面と、該掃出面から正面部の底部へ連なる傾斜面とをもって構成するときは、掃出部材と走行レールとの間には一切隙間が生じないため、塵埃や箒の穂先が詰まることがなく、また、走行レールの凸部端面は、掃出部材の高部形成面によって覆われるから、凸部端面によって怪我をすることのない引戸用走行レール装置することができる。
【発明を実施するための最良の形態】
【００１６】
以下、本発明の引戸用走行レール装置の実施の形態を、図面に基づいて説明する。
なお、従来装置と同様の構造については同一の符号、一連の符号を付す。
【実施例１】
【００１７】
図１〜図３に、本発明の引戸用走行レール装置の第１実施例を示す。
【００１８】
この引戸用走行レール装置１は、引戸枠部材２の下枠２ｃと、該下枠２ｃの上面に形成した凹部２ｃ’に配設した走行レール３と、走行レール３及び走行レール３のレール部３ａの両側に形成される溝部Ｕの端部に当接する掃出部材１０とを備え、該掃出部材１０の両側面１５、１５と下枠２ｃの上面に形成した凹部２ｃ’の内側面との当接箇所に充填材Ｃを充填し、掃出部材１０の両側面１５、１５と下枠２ｃに形成した凹部２ｃ’の内側面との間に生じる隙間を完全に塞ぐようにしている。
【００１９】
一般に学校用間仕切りとしての引戸に使用される引戸用走行レール装置１では、引戸扉４を複数枚配設する場合が多く、本実施例では引戸扉４を２枚配設し、引戸扉４の戸車４ｂが載置されるレール部３ａを２本とその間に配設されるスペーサ部３ｂとから構成しているが、特にこの構成は限定されるものではなく、引戸扉４が３枚でレール部３ａを３本としスペーサ部３ｂを有しないものの他、引戸扉４が１枚でレール部３ａが１本だけの構成であっても構わない。
【００２０】
そして、この引戸用走行レール装置１に使用する掃出部材１０は、走行レール３の端部から走行レール３の溝部Ｕに溜まった塵埃を掃き出すためのもので、引戸枠部材２の下枠２ｃ上面に形成した凹部２ｃ’に配設する下枠２ｃの長手寸法よりも短い走行レール３の一端部又は両端部に配設し、両側面１５、１５間の幅を下枠２ｃの凹部２ｃ’に嵌合可能な幅寸法Ｌとするとともに、正面部１１を走行レール３のレール部３ａ及びスペーサ部３ｂとレール部３ａの両側に形成される溝部Ｕの凹凸形状に沿った高部１１ａと底部１１ｂとを有する形状とし、平面部１２を正面部１１の高部１１ａと同一高さで連なる掃出面１２ａと、該掃出面１２ａと正面部１１の底部１１ｂから連なる傾斜面１２ｂとをもって構成するようにしている。
【００２１】
掃出部材１０の製造方法は、特に限定されず、例えば、金型を用いた樹脂成型品で構成する他、樹脂ブロックや木材からの削り出しによって製作することもできる。
【００２２】
掃出部材１０の両側面１５、１５間の幅寸法Ｌは、下枠２ｃの凹部２ｃ’の幅寸法Ｌ１よりも若干小となる寸法となるようにしている。
これによって、掃出部材１０は、下枠２ｃに嵌合されることとなり、取り付け後の抜けを防止するとともに、下枠２ｃの凹部２ｃ’との間の隙間を可及的に小とし、塵埃や箒の穂先が詰まることを防止することができる。
【００２３】
そして、正面部１１は、走行レール３の端面と当接し、高部形成面１１ｃに走行レール３の凸部を形成する空間に嵌入する突起部１３を形成することが好ましく、突起部１３によって、掃出部材１０を取り付け、引戸枠部材２として完成した後に、上部への抜き取りを防止することができる。
【００２４】
また、掃出部材１０の平面部１２には、竪枠２ａの凹部２ａ’に嵌合する突部１４を形成することができる。
この突部１４によって、竪枠２ａの凹部２ａ’を掃出面１２ａと同一面で塞ぐことができ、下枠２ｃの凹部２ｃ’と走行レール３によって形成される溝部Ｕに溜まった塵埃を掃き出した際に、掃出面１２ａを越えて、凹部２ａ’によって形成される間隙Ｓに塵埃が落ちて溜まることがない。
【００２５】
この場合、図３に示すように、突部１４を掃出面１２ａから突部１４に向かって高くなる傾斜面によって連ねることが好ましく、これによって、溝部Ｕから掃き出した塵埃を凹部２ａ’側に移動させることがなく、突部１４上に塵埃が溜まることがない。
【００２６】
上記構成において、掃出部材１０の取り付けは、下枠２ｃの走行レール３の一端部又は両端部に走行レール３の凸部を形成する空間に突起部１３を嵌入して、正面部１１を走行レール３の端面に当接させる。
この際、掃出部材１０の底面と凹部２ｃ’との間には両面テープや接着剤によって固着することが好ましい。
【００２７】
そして、図２に示す充填部にコーキング剤等の充填材Ｃを塗り込み、掃出部材１０の両側面１５、１５と下枠２ｃの上面に形成した凹部２ｃ’の内側面との当接箇所を充填封止し、引戸用走行レール装置１が完成する。
【００２８】
次いで、引戸用走行レール装置１と竪枠２ａとを接合する。
この際、下枠２ｃと竪枠２ａとをボルト等の締結手段で固定することによって、竪枠２ａの凹部２ａ’に嵌合する突部１４と正面部１１とが、凹部２ａ’と走行レール３の端面とによって挟み込まれ、掃出部材１０は下枠２ｃに強固に固定される。
【００２９】
そして、下枠２ｃの凹部２ｃ’と走行レール３によって形成される溝部Ｕに溜まった塵埃を掃き出すときは、塵埃は平面部１２に形成した傾斜面１２ｂから掃出面１２ａに移動し、掃出面１２ａから下枠２ｃに対して直角方向に掃き出すようにする。
このとき、掃出部材１０の両側面１５、１５と下枠２ｃの上面に形成した凹部２ｃ’の内側面との当接箇所を充填封止しているから、当該箇所で隙間が生じることがなく塵埃や箒の穂先が詰まるという不具合も発生しない。
【００３０】
この場合、掃出部材１０を図３（ｂ）に示すように、傾斜面１２ｂのうち両端の傾斜面１２ｂの外側に外壁１５ａを形成するようにしたときは、さらに塵埃や箒の穂先が詰まりにくい構造とすることができる。
【実施例２】
【００３１】
図４に、本発明の引戸用走行レール装置の第２実施例を示す。
【００３２】
この引戸用走行レール装置１は、引戸枠部材２の下枠２ｃの上面に形成した凹部２ｃ’に走行レール３を配設し、走行レール３及び走行レール３のレール部３ａの両側に形成される溝部Ｕの端部に当接する掃出部材１０を備え、下枠２ｃの上面に形成した凹部２ｃ’の側面に、掃出部材１０を挿入嵌合させる切欠部Ｋ（図４（ｂ）参照）を形成するようにしている。
【００３３】
そして、掃出部材１０の両側面１５、１５間の幅寸法Ｌ’は、図５に示すように、両端の傾斜面１２ｂの幅を実施例１よりも広くして下枠２ｃの凹部２ｃ’の幅寸法Ｌよりも大となるような寸法としている。
これによって、掃出部材１０は下枠２ｃに形成した切欠部Ｋに挿入嵌合されることとなり、両端の傾斜面１２ｂは下枠２ｃの内部に入り込み切欠部Ｋと傾斜面１２ｂとの間に隙間が生じてもその隙間は水平方向の隙間となり箒の穂先が侵入して詰まることがない。
さらに、掃出部材１０が下枠２ｃの内部に入り込むことによって取り付け後の抜けを確実に防止することができる。
【００３４】
この場合、実施例１と同様に、切欠部Ｋと傾斜面１２ｂとの当接箇所にコーキング剤等の充填材を塗り込むことによってさらに確実な塵埃等の詰まりを防止することもできる。
【００３５】
なお、本実施例のその他の構成及び作用は、上記第１実施例と同様である。
【００３６】
以上、本発明の引戸用走行レール装置について、複数の実施例に基づいて説明したが、本発明は上記実施例に記載した構成に限定されるものではなく、その趣旨を逸脱しない範囲において適宜その構成を変更することができるものである。
【産業上の利用可能性】
【００３７】
本発明の引戸用走行レール装置は、下枠の凹部と掃出部材との間に生じる隙間に塵埃や箒の穂先が詰まることがないという特性を有していることから、下枠の長手寸法よりも短い走行レールを用いた引戸装置に用いることができ、特に、箒を使って掃除を行うことが一般的な学校用間仕切りの引戸装置に好適に用いることができる。
【図面の簡単な説明】
【００３８】
【図１】本発明の引戸用走行レール装置の第１実施例を組み込んだ引戸装置の一部切り欠きの斜視図である。
【図２】本発明の引戸用走行レール装置を組み込んだ引戸装置を示し、（ａ）は一部断面の平面図、（ｂ）は（ａ）のＸ−Ｘ断面図である。
【図３】（ａ）は掃出部材を示す斜視図で、（ｂ）は掃出部材の変形例を示す斜視図である。
【図４】本発明の引戸用走行レール装置の第２実施例を示し、（ａ）は引戸用走行レール装置を組み込んだ引戸装置の一部切り欠きの斜視図、（ｂ）は下枠の凹部に形成する切欠部の形状を示す一部切り欠き断面の斜視図である。
【図５】第２実施例の引戸用走行レール装置に使用する掃出部材を示す斜視図である。
【図６】引戸用走行レール装置を使用する引戸装置の正面図である。
【図７】一般的な引戸装置の引戸扉、竪枠、下枠及び走行レールを示し、（ａ）は一部断面の平面図、（ｂ）は（ａ）のＹ−Ｙ断面図である。
【図８】従来の掃出部材を組み込んだ引戸装置の一部切り欠きの斜視図である。
【図９】従来の別の掃出部材を組み込んだ引戸装置の一部切り欠きの斜視図である。
【符号の説明】
【００３９】
１    引戸用走行レール装置
１０  掃出部材
１１  正面部
１１ａ  高部
１１ｂ  底部
１１ｃ  高部形成面
１２  平面部
１２ａ  掃出面
１２ｂ  傾斜面
１３  突起部
１４  突部
１５  側面
２    引戸枠部材
２ｃ  下枠
２ｃ’  溝部
３    走行レール
【図１】
2008248621.tif 000003
【図２】
2008248621.tif 000004
【図３】
2008248621.tif 000005
【図４】
2008248621.tif 000006
【図５】
2008248621.tif 000007
【図６】
2008248621.tif 000008
【図７】
2008248621.tif 000009
【図８】
2008248621.tif 000010
【図９】
2008248621.tif 000011